(57)【要約】      （修正有）【課題】記録精度の向上を考慮した記録装置を提供する。【解決手段】記録装置１は、被記録媒体Ｐに対して記録をする記録ヘッド４４を有し、該被記録媒体Ｐの幅方向Ｘへ移動するキャリッジ４１と、該キャリッジ４１を支持し、前記幅方向Ｘへの移動を案内するフレーム部７０と、該フレーム部７０が取り付けられる基体部６０と、該基体部６０と係合する第１係合部と、該第１係合部に対して偏心しており前記フレーム部７０と係合する第２係合部とを有する偏心ピン９０と、を備え、該偏心ピン９０を回動することにより、前記記録ヘッド４４と被記録媒体Ｐとが対向する方向Ｚにおいて、前記フレーム部７０の前記基体部６０に対する相対的な位置関係を調整する構成とする。【選択図】図４
2010247437.tif 000002
【特許請求の範囲】
【請求項１】
被記録媒体に対して記録をする記録ヘッドを有し、該被記録媒体の幅方向へ移動するキャリッジと、
該キャリッジを支持し、前記幅方向への移動を案内するフレーム部と、
該フレーム部が取り付けられる基体部と、
該基体部と係合する第１係合部と、該第１係合部に対して偏心しており前記フレーム部と係合する第２係合部とを有する偏心ピンと、を備え、
該偏心ピンを回動することにより、前記記録ヘッドと被記録媒体とが対向する方向において、前記フレーム部の前記基体部に対する相対的な位置関係を調整する構成である記録装置。
【請求項２】
請求項１に記載の記録装置において、前記偏心ピンは、被記録媒体の幅方向両側に配設されている記録装置。
【請求項３】
請求項１または２に記載の記録装置において、前記フレーム部には、
前記キャリッジを前記幅方向へ案内する主ガイド部および副ガイド部と、
前記キャリッジの前記幅方向における位置を検出するためのエンコーダースケールと、
前記キャリッジを駆動させる駆動手段と、が設けられている記録装置。
【請求項４】
請求項１乃至３のいずれか１項に記載の記録装置において、前記フレーム部および前記基体部の一方には、円形の第１穴が設けられており、
他方には、該第１穴より大きい第２穴が設けられており、
前記偏心ピンが、前記第１穴および前記第２穴と係合する記録装置。
【請求項５】
被記録媒体に対して記録をする記録ヘッドを有するキャリッジを支持すると共に被記録媒体の幅方向への前記キャリッジの移動を案内するフレーム部を、基体部に対して取り付ける際、
該基体部と係合する第１係合部と、該第１係合部に対して偏心しており前記フレーム部と係合する第２係合部とを有する偏心ピンを、前記フレーム部および前記基体部と係合して回動することにより、前記記録ヘッドと被記録媒体とが対向する方向において、前記フレーム部の前記基体部に対する相対的な位置関係を調整する記録装置の組み立て方法。
【発明の詳細な説明】
【技術分野】
【０００１】
本発明は、被記録媒体に対して記録をする記録ヘッドを有し、該被記録媒体の幅方向へ移動するキャリッジと、該キャリッジを支持し、前記幅方向への移動を案内するフレーム部と、該フレーム部が取り付けられる基体部と、を備える記録装置および該記録装置の組み立て方法に関する。  
本願において、記録装置には、インクジェットプリンター、ワイヤドットプリンター、レーザープリンター、ラインプリンター、複写機、ファクシミリ等の種類が含まれるものとする。
【背景技術】
【０００２】
従来では、特許文献１に示す如く、記録装置は、記録ヘッドと、キャリッジと、フレーム部と、基体部と、を備えていた。このうち、前記記録ヘッドは、被記録媒体の一例である用紙に対してインクを吐出して記録をすることができるように設けられていた。また、前記キャリッジは、前記記録ヘッドを搭載し、用紙の幅方向へ移動することができるように構成されていた。
【０００３】
またさらに、前記フレーム部は、前記キャリッジの前記幅方向への移動を案内することができるように前記幅方向に延設されていた。また、前記基体部は、該基体部に前記フレーム部が取り付けられるように設けられていた。そして、前記基体部には、用紙を裏面から支持する用紙支持部が設けられていた。従って、前記用紙支持部に支持された用紙に対して、前記キャリッジを前記幅方向へ移動させながら前記記録ヘッドからインクを吐出することによって記録を実行することができた。
【発明の概要】
【発明が解決しようとする課題】
【０００４】
しかしながら、前記フレーム部を前記基体部に取り付けた状態では、それぞれの部品の公差が影響するので、前記フレーム部の前記基体部に対する相対的な位置精度を十分に得ることが困難だった。前記記録装置では、前記フレーム部が前記キャリッジの前記幅方向への移動を案内する構成であるので、前記部品の公差が用紙と前記記録ヘッドとの間の距離のバラツキの原因となる。また、前記部品の公差が前記記録ヘッドの用紙に対する姿勢のバラツキの原因にもなる。特に、前記記録装置では、このようなバラツキが致命的となり、記録品質を低下させる虞が生じる。
【０００５】
本発明は、このような状況に鑑み成されたものであり、その課題は、記録精度の向上を考慮した記録装置および該記録装置の組み立て方法を提供することである。
【課題を解決するための手段】
【０００６】
上記課題を達成するため、本発明の第１の態様の記録装置は、被記録媒体に対して記録をする記録ヘッドを有し、該被記録媒体の幅方向へ移動するキャリッジと、該キャリッジを支持し、前記幅方向への移動を案内するフレーム部と、該フレーム部が取り付けられる基体部と、該基体部と係合する第１係合部と、該第１係合部に対して偏心しており前記フレーム部と係合する第２係合部とを有する偏心ピンと、を備え、該偏心ピンを回動することにより、前記記録ヘッドと被記録媒体とが対向する方向において、前記フレーム部の前記基体部に対する相対的な位置関係を調整する構成であることを特徴とする。
【０００７】
本発明の第１の態様によれば、前記基体部や前記フレーム部において部品公差がある場合であっても、前記偏心ピンを回動することにより、部品公差分を吸収することができる。その結果、前記フレーム部の前記基体部に対する相対的な位置精度を向上させることができる。また、前記偏心ピンを回動するだけでよいので、容易に前記相対的な位置関係を調整することができる。
【０００８】
具体的には、前記記録ヘッドと被記録媒体との相対的な位置関係を精度よく調整することができる。その結果、記録精度を向上させることができる。即ち、部品公差による記録品質が低下することを防止することができる。
【０００９】
本発明の第２の態様は、第１の態様の記録装置において、前記偏心ピンは、被記録媒体の幅方向両側に配設されていることを特徴とする。  
本発明の第２の態様によれば、前記偏心ピンは、幅方向の両側に設けられている。従って、両側で前記相対的な位置関係を調整することができる。その結果、一箇所のみで調整する場合と比較して、調整可能な範囲を広げることができる。即ち、前記フレーム部の前記基体部に対する相対的な姿勢だけでなく、前記記録ヘッドと被記録媒体との間の基準となる距離をも調整することができる。その結果、記録精度をより向上させることができる。
【００１０】
本発明の第３の態様は、第１または第２の態様において、前記フレーム部には、前記キャリッジを前記幅方向へ案内する主ガイド部および副ガイド部と、前記キャリッジの前記幅方向における位置を検出するためのエンコーダースケールと、前記キャリッジを駆動させる駆動手段と、が設けられていることを特徴とする。  
本発明の第３の態様によれば、第１または第２の態様と同様の作用効果に加え、前記偏心ピンを回動して前記相対的な位置関係を調整する際、前記主ガイド部、前記副ガイド部、前記エンコーダースケールおよび前記駆動手段を、前記フレーム部と一体に変位させて調整することができる。その結果、前記キャリッジの前記幅方向における位置や移動距離の精度が低下する虞がない。
【００１１】
本発明の第４の態様は、第１から第３のいずれか一の態様において、前記フレーム部および前記基体部の一方には、円形の第１穴が設けられており、他方には、該第１穴より大きい第２穴が設けられており、前記偏心ピンが、前記第１穴および前記第２穴と係合することを特徴とする。  
本発明の第４の態様によれば、第１から第３のいずれか一の態様と同様の作用効果に加え、前記偏心ピンを、先に、比較的大きい前記第２穴に挿通し、次に、比較的小さい前記第１穴に挿通させて係合させることができる。従って、容易に前記偏心ピンを取り付けて、前記調整することができる。
【００１２】
本発明の第５の態様の記録装置の組み立て方法は、被記録媒体に対して記録をする記録ヘッドを有するキャリッジを支持すると共に被記録媒体の幅方向への前記キャリッジの移動を案内するフレーム部を、基体部に対して取り付ける際、該基体部と係合する第１係合部と、該第１係合部に対して偏心しており前記フレーム部と係合する第２係合部とを有する偏心ピンを、前記フレーム部および前記基体部と係合して回動することにより、前記記録ヘッドと被記録媒体とが対向する方向において、前記フレーム部の前記基体部に対する相対的な位置関係を調整することを特徴とする。
【００１３】
本発明の第５の態様によれば、前記偏心ピンを回動することにより、容易に前記フレーム部の前記基体部に対する相対的な位置関係を調整することができる。即ち、前記基体部や前記フレーム部において部品公差がある場合であっても、前記偏心ピンを回動することにより、部品公差分を吸収することができる。そして、この状態で前記フレーム部を前記基体部に対して固定することが可能であるので、前記フレーム部の前記基体部に対する相対的な位置精度を向上させることができる。  
また、容易に前記調整して固定することが可能であるので、生産性が向上する。
【図面の簡単な説明】
【００１４】
【図１】本発明に係るプリンターの内部を示す斜視図。
【図２】本発明に係るプリンターの内部を示す側断面図。
【図３】本発明に係るプリンターのキャリッジを除いた状態を示す斜視図。
【図４】本発明に係るプリンターの内部を示す側面図。
【図５】（Ａ）〜（Ｄ）は本発明に係る偏心ピンによる調整の様子を示す図。
【図６】（Ａ）〜（Ｃ）は本発明に係る偏心ピンを示す図。
【発明を実施するための形態】
【００１５】
以下、本発明の実施の形態を図面に基づいて説明する。  
図１に示すのは、本発明に係る「記録装置」或いは「液体噴射装置」の一例としてのインクジェットプリンター（以下「プリンター」と言う）１の全体の概略を示す斜視図である。また、図２に示すのは、本発明に係るプリンターの内部を示す側断面図である。またさらに、図３に示すのは、本発明に係るプリンターのキャリッジを除いた状態を示す斜視図である。また、図４に示すのは、本発明に係るプリンターの内部を示す側面図である。
【００１６】
ここで、液体噴射装置とは、液体噴射ヘッドとしての記録ヘッドから記録紙等の被記録材へインクを噴射して被記録材への記録を実行するインクジェット式記録装置、複写機及びファクシミリ等の記録装置に限らず、インクに代えて特定の用途に対応する液体を前述した記録ヘッドに相当する液体噴射ヘッドから、被記録材に相当する被噴射材に噴射して、液体を被噴射材に付着させる装置を含む意味で用いる。
【００１７】
またさらに、液体噴射ヘッドとしては、前述した記録ヘッド以外に、液晶ディスプレイ等のカラーフィルター製造に用いられる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料を噴射する試料噴射ヘッド等が挙げられる。
【００１８】
図１〜図４に示す如く、プリンター１は、載置部１０と、給送部２０と、搬送部３０と、記録部４０と、排出部５０とを備えている。このうち、載置部１０は、プリンター１の下方に配設され、用紙Ｐを積層することができる用紙トレイ１１を有している。また、給送部２０は、用紙トレイ１１に積層された用紙Ｐを一枚ずつピックアップして送り方向下流側へ送ることができるように構成されている。具体的には、図２に示す如く、用紙トレイ１１に積層された用紙Ｐと接触して図示しない給送用モーターの動力によって駆動する給送ローラー２１を有している。
【００１９】
給送ローラー２１によって送られる用紙Ｐは、先ず、予備分離部２２へ送られる。重送された場合は予備分離部２２によって給送ローラー２１に対して最上位の用紙Ｐと次位以降の用紙とに分離される。そして、最上位の用紙Ｐは、さらに送り方向下流側の本分離部２３へ送られる。本分離部２３は、図示しないモーターの動力によって駆動する中間ローラー２５と、回転するために所定の負荷を有するリタードローラー２４とを有する。そして、本分離部２３まで重送された場合であっても、公知の摩擦係数の関係により中間ローラー２５に対して最上位の用紙Ｐのみが本分離部２３を通過することができるように構成されている。
【００２０】
本分離部２３を通過した用紙Ｐは、図２に示す如く側視Ｕ字型の送り経路に沿って案内され、補助ローラー２６および中間ローラー２５によって、搬送部３０へ送られる。  
搬送部３０は、用紙Ｐを記録部４０へ精度よく搬送することができるように設けられている。具体的には、動力伝達手段（図示せず）によって搬送用モーター（図示せず）の動力が伝達され駆動する搬送駆動ローラー３２と、従動回転する搬送従動ローラー３３とを有する搬送ローラー対３１を備えている。
【００２１】
記録部４０は、搬送部３０から搬送された用紙Ｐに対してインクを吐出することにより記録を実行することができるように構成されている。具体的には、キャリッジ４１と、記録ヘッド４４と、第１ガイドレール部７３と、第２ガイドレール部４３と、用紙支持部４５とを有している。このうち、キャリッジ４１は、用紙Ｐの幅方向Ｘに延設された第１ガイドレール部７３および第２ガイドレール部４３によって案内されながら、キャリッジ用モーター８４の動力によって用紙Ｐの幅方向Ｘへ往復移動することができるように設けられている。また、記録ヘッド４４は、キャリッジ４１の下方に設けられ、用紙Ｐに対してインクを吐出することができるように設けられている。またさらに、用紙支持部４５は、記録ヘッド４４と対向する位置に設けられ、用紙Ｐを裏面から支持することができるように構成されている。
【００２２】
また、第１ガイドレール部７３は、金属板で形成されたフレーム部７０の一部に形成されている。具体的には、第１ガイドレール部７３は、キャリッジと摺接する第１摺接面７３ａと、第２摺接面７３ｂとを有している。  
またさらに、用紙支持部４５は、プラスチック等の樹脂素材で形成された基体部６０の一部に形成されている。そして、フレーム部７０は、基体部６０に取り付けられている。
【００２３】
詳しくは後述するが、フレーム部７０の幅方向Ｘにおける両側において、偏心ピン９０、９０によって基体部６０とフレーム部７０との相対的な位置関係が調整される。その後に、ねじ９５、９５によってフレーム部７０が基体部６０に取り付け固定される。
【００２４】
また、図１に示す如く、フレーム部７０には、キャリッジ４１を駆動させる駆動手段８５としてのキャリッジ用モーター８４、駆動プーリー８１、従動プーリー８２、無端ベルト８３が取り付けられている。また、キャリッジ４１の位置および移動距離を検出するためのエンコーダースケール８０が取り付けられている。このうち、キャリッジ用モーター８４は、駆動プーリー８１を駆動させるように構成されている。また、駆動プーリー８１は、フレーム部７０における幅方向Ｘの一端側に設けられている。
【００２５】
一方、従動プーリー８２は、フレーム部７０における幅方向Ｘの他端側に設けられている。そして、無端ベルト８３は、駆動プーリー８１および従動プーリー８２に巻回されている。また、無端ベルト８３の一部は、キャリッジ４１と係合している。従って、キャリッジ用モーター８４を駆動させることにより、無端ベルト８３を介してキャリッジ４１に動力を伝達することができる。
【００２６】
これにより、キャリッジ４１は、第１ガイドレール部７３および第２ガイドレール部４３に案内されながら幅方向Ｘへ移動することができる。また、フレーム部７０における幅方向一端側から他端側までエンコーダースケール８０が延設されている。一方、キャリッジ４１は、図示しないエンコーダーセンサーを有している。そして、該エンコーダーセンサーは、エンコーダースケール８０を読み取ることができるように構成されている。従って、図示しない制御部は、幅方向Ｘにおけるキャリッジ４１の位置および移動距離を把握することができる。
【００２７】
排出部５０は、記録部４０によって記録された用紙Ｐをプリンター１の外部の排出トレイ（図示せず）に排出することができるように設けられている。具体的には、排出補助ローラー５１と、排出ローラー対５２とを有している。このうち、排出ローラー対５２は、動力伝達手段（図示せず）によって搬送用モーター（図示せず）の動力が伝達され駆動する排出駆動ローラー５３と、従動回転する排出従動ローラー５４とを有している。
【００２８】
尚、本実施例のプリンター１は、用紙Ｐの表面を記録した後、記録時の送り方向上流側（Ｙ軸の矢印と逆向き）へ逆送して中間ローラー２５を介してＵ字に反転送りして記録時の送り方向下流側へ送ることにより用紙Ｐを裏面に対して記録を実行することができるように構成されている。
【００２９】
つづいて、フレーム部７０と基体部６０との相対的な位置関係の調整機構について説明する。  
図５（Ａ）〜（Ｄ）は本発明に係る偏心ピンによる調整の様子を示す図である。このうち、図５（Ａ）は調整前における取り付け位置を示す正面図である。また、図５（Ｂ）は図５（Ａ）の側断面図である。またさらに、図５（Ｃ）は調整後における取り付け位置を示す正面図である。また、図５（Ｄ）は図５（Ｃ）の側断面図である。  
また、図６（Ａ）〜（Ｃ）は本発明に係る偏心ピンを示す図である。このうち、図６（Ａ）は偏心ピンの斜視図である。また、図６（Ｂ）は偏心ピンの軸方向から見た正面図である。またさらに、図６（Ｃ）は偏心ピンの側面図である。
【００３０】
図５（Ａ）〜図６（Ｃ）に示す如く、偏心ピン９０は、円柱状の第１係合部９１と、第１係合部９１より大径の円柱状の第２係合部９２とを有している。そして、第１係合部９１の円柱の中心軸は、第２係合部９２の円柱の中心軸に対して偏心して設けられている。  
また、基体部６０には、第１穴部６２および第１ねじ穴６１が設けられている。このうち、第１穴部６２は、偏心ピン９０の第１係合部９１と係合することができるように設けられている。一方、第１ねじ穴６１は、ねじ９５を締結することができるように設けられている。
【００３１】
またさらに、フレーム部７０には、第２穴部７２および第２ねじ穴７１が設けられている。このうち、第２穴部７２は、偏心ピン９０の第２係合部９２と係合することができるように設けられている。一方、第２ねじ穴７１は、ねじ９５を挿通させるためにねじ９５の直径より広く設けられている。即ち、遊びがあるように設けられている。所謂、馬鹿穴である。
【００３２】
また、図５（Ｂ）および図５（Ｄ）に示す如く、第２ねじ穴７１は、第１ねじ穴６１と対向する位置に設けられている。同様に、第２穴部７２は、第１穴部６２と対向する位置に設けられている。  
尚、第１穴部６２、第１ねじ穴６１、第２穴部７２および第２ねじ穴７１は、基体部６０およびフレーム部７０のそれぞれにおける幅方向Ｘの両側に設けられている。両側とも同様の構成であるので、一方について説明するものとし、他方についての説明は省略する。
【００３３】
プリンター１の組み立て方法の一部であるフレーム部７０の基体部６０への取り付け方法について以下説明する。  
先ず、フレーム部７０を基体部６０に取り付けられるべき箇所へ移動する。そして、基体部６０の第１穴部６２と、フレーム部７０の第２穴部７２とが重なるようにする。  
その状態で、図５（Ａ）（Ｂ）に示す如く、偏心ピン９０を第２穴部７２および第１穴部６２に係合させる。具体的には、偏心ピン９０の第１係合部９１が基体部６０の第１穴部６２と係合し、第２係合部９２がフレーム部７０の第２穴部７２と係合する。
【００３４】
次に、ねじ９５をフレーム部７０の第２ねじ穴７１を介して基体部６０の第１ねじ穴６１に挿入して軽く締結する。  
そして、図５（Ｃ）に示す如く、偏心ピン９０をＹ軸の支点に例えば図中における反時計方向へ回転させて、記録ヘッド４４と用紙支持部４５とが対向する方向であるＺ軸方向における基体部６０とフレーム部７０との相対的な位置関係を調整する。
【００３５】
具体的には、偏心ピン９０は、前述したように第１係合部９１の中心軸と第２係合部９２の中心軸とが僅かにずれている、即ち、偏心している構成である。  
従って、偏心ピン９０を回転させると、基体部６０を基準として第２係合部９２をＺ軸およびＸ軸が成す面において僅かに変位させることができる。このとき、第２係合部９２は、フレーム部７０の第２穴部７２と係合している。従って、フレーム部７０の位置を、基体部６０を基準としてＺ軸およびＸ軸が成す面において僅かに変位させることができる。より具体的には、Ｘ軸方向において、距離ｄ１だけ変位させることができる。また、Ｚ軸方向において、距離ｄ２だけ変位させることができる。
【００３６】
ここで、Ｘ軸方向の変位については、キャリッジ４１において、用紙Ｐの幅方向Ｘの両側側端を検出することができるセンサーが設けられているので、用紙Ｐに対する記録精度に関しては何ら問題ない。  
尚、幅方向Ｘにおける他方側の第２穴部（図示せず）は、Ｘ軸方向に僅かに長尺に形成されているので、フレーム部７０のＸ軸方向への僅かな移動を妨げる虞はないものとする。  
また、第２ねじ穴７１は、前述したように馬鹿穴であるので、ねじ９５が偏心ピン９０の回動に伴うフレーム部７０の移動を妨げる虞はないものとする。
【００３７】
一方、Ｚ軸方向において、フレーム部７０の幅方向Ｘの一端側を、基体部６０を基準として変位させることができる。その結果、基体部６０と、フレーム部７０との相対的な姿勢を精度よく調整することができる。具体的には、フレーム部７０の第１ガイドレール部７３の姿勢が、基体部６０の用紙支持部４５に対して平行となるように調整することができる。  
そして、ねじ９５、９５を強固に締結することにより、精度よくフレーム部７０を基体部６０に取り付けることができる。
【００３８】
また、幅方向Ｘにおける他方側の偏心ピン９０を一方側の偏心ピン９０と同時に調整することによって、記録ヘッド４４と用紙支持部４５との間の距離を調整して取り付けることができる。即ち、フレーム部７０との相対的な位置関係を精度よく調整することができる。  
またさらに、両側の偏心ピン９０、９０を回動して調整する場合、一方の偏心ピン９０のみを回動して調整する場合と比較して、基体部６０と、フレーム部７０との相対的な姿勢の変位量を大きくすることができる。その結果、部材精度の公差をより吸収することができる。
【００３９】
尚、フレーム部７０を基体部６０に取り付けた後、ねじ９５、９５を緩めて偏心ピン９０を回動することにより、フレーム部７０と基体部６０との相対的な位置関係および姿勢を調整してもよいのは勿論である。第２ねじ穴７１は、馬鹿穴であるので、ねじ９５、９５の取り付けおよび取り外しを繰り返した場合であっても、偏心ピン９０による基体部６０とフレーム部７０との相対的な位置関係および姿勢の調整には影響を及ぼさない。
【００４０】
また、前述したように、フレーム部７０には、キャリッジ用モーター８４、駆動プーリー８１、従動プーリー８２、無端ベルト８３およびエンコーダースケール８０が取り付けられている。従って、偏心ピン９０の回動に伴って、これらの部材もフレーム部７０と一体に変位させることができる。その結果、エンコーダーセンサー（図示せず）およびエンコーダースケール８０によるキャリッジ４１の幅方向Ｘにおける位置の読み取り精度が低下する虞がない。また、幅方向Ｘにおけるキャリッジ４１の移動量が変化する虞もない。
【００４１】
尚、本実施例では、偏心ピン９０の第２係合部９２の直径を第１係合部９１の直径より大きくなるように構成したが、逆の構成でもよい。係る場合、第１穴部６２と、第２穴部７２との大小関係も逆の構成となる。また、偏心ピン９０の第１係合部９１および第２係合部９２の両方を円柱状に形成したが、少なくとも一方が円柱状に形成されており、かつ、一方が他方に対して偏心していればよい。係る場合も同様の作用効果を得ることができる。
【００４２】
また、本実施例では、偏心ピン９０の回動によりフレーム部７０の第１ガイドレール部７３を変位させる構成としたが、第２ガイドレール部４３も一体に変位させる構成としてもよいのは勿論である。  
またさらに、第２ガイドレール部４３について、第１ガイドレール部７３とは別の偏心ピン９０によって基体部６０との相対的な位置関係および姿勢を別途調整することができる構成としてもよい。
【００４３】
また、偏心ピン９０は、幅方向Ｘにおける両側に設けたが一方のみでもよい。係る場合も同様の作用効果を得ることができる。  
またさらに、偏心ピンを回動しやすくするために偏心ピンにつまみ部や、ドライバー等の工具と係合する溝部を設けてもよいのは勿論である。
【００４４】
本実施形態の記録装置の一例であるプリンター１は、被記録媒体の一例である用紙Ｐに対して記録をする記録ヘッド４４を有し、用紙Ｐの幅方向Ｘへ移動するキャリッジ４１と、キャリッジ４１を支持し、幅方向Ｘへの移動を案内するフレーム部７０と、フレーム部７０が取り付けられる基体部６０と、基体部６０と係合する第１係合部９１と、第１係合部９１に対して偏心しておりフレーム部７０と係合する第２係合部９２とを有する偏心ピン９０と、を備え、偏心ピン９０を回動することにより、記録ヘッド４４と用紙Ｐとが対向する方向において、フレーム部７０の基体部６０に対する相対的な位置関係を調整する構成であることを特徴とする。
【００４５】
また、本実施形態において、偏心ピン９０、９０は、用紙Ｐの幅方向両側に配設されていることを特徴とする。  
またさらに、本実施形態において、フレーム部７０には、キャリッジ４１を幅方向Ｘへ案内する主ガイド部としての第１ガイドレール部７３および副ガイド部としての第２ガイドレール部４２と、キャリッジ４１の幅方向Ｘにおける位置を検出するためのエンコーダースケール８０と、キャリッジ４１を駆動させる駆動手段８５としての駆動プーリー８１、従動プーリー８２、無端ベルト８３およびキャリッジ用モーター８４と、が設けられていることを特徴とする。
【００４６】
また、本実施形態において、フレーム部７０および基体部６０の一方の基体部６０には、円形の第１穴としての第１穴部６２が設けられており、他方のフレーム部７０には、第１穴部６２より大きい第２穴としての第２穴部７２が設けられており、偏心ピン９０が、第１穴部６２および第２穴部７２と係合することを特徴とする。
【００４７】
本実施形態のプリンター１の組み立て方法は、用紙Ｐに対して記録をする記録ヘッド４４を有するキャリッジ４１を支持すると共に用紙Ｐの幅方向Ｘへのキャリッジ４１の移動を案内するフレーム部７０を、基体部６０に対して取り付ける際、基体部６０と係合する第１係合部９１と、第１係合部９１に対して偏心しておりフレーム部７０と係合する第２係合部９２とを有する偏心ピン９０を、フレーム部７０および基体部６０と係合して回動することにより、記録ヘッド４４と用紙Ｐとが対向する方向において、フレーム部７０の基体部６０に対する相対的な位置関係を調整することを特徴とする。
【００４８】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００４９】
１  プリンター、１０  載置部、１１  用紙トレイ、２０  給送部、
２１  給送ローラー、２２  予備分離部、２３  本分離部、２４  リタードローラー、
２５  中間ローラー、２６  補助ローラー、３０  搬送部、３１  搬送ローラー対、
３２  搬送駆動ローラー、３３  搬送従動ローラー、４０  記録部、４１  キャリッジ、
４３  第２ガイドレール部、４４  記録ヘッド、４５  用紙支持部、５０  排出部、
５１  排出補助ローラー、５２  排出ローラー対、５３  排出駆動ローラー、
５４  排出従動ローラー、６０  基体部、６１  第１ねじ穴、６２  第１穴部、
７０  フレーム部、７１  第２ねじ穴、７２  第２穴部、７３  第１ガイドレール部、
７３ａ  第１摺接面、７３ｂ  第２摺接面、８０  エンコーダースケール、
８１  駆動プーリー、８２  従動プーリー、８３  無端ベルト、
８４  キャリッジ用モーター、８５  駆動手段、９０  偏心ピン、９１  第１係合部、
９２  第２係合部、９５  ねじ、ｄ１  Ｘ軸方向において変位する距離、
ｄ２  Ｚ軸方向において変位する距離、Ｐ  用紙、Ｘ  用紙の幅方向、
Ｙ  記録時の送り方向、Ｚ  記録ヘッドと用紙支持部とが対向する方向（鉛直方向）
【先行技術文献】
【特許文献】
【００５０】
【特許文献１】特許３５７３２７８号公報
【図１】
2010247437.tif 000003
【図２】
2010247437.tif 000004
【図３】
2010247437.tif 000005
【図４】
2010247437.tif 000006
【図５】
2010247437.tif 000007
【図６】
2010247437.tif 000008